(57)【要約】【課題】デマンドレスポンス要請時における電力需要量の増減を容易に把握する。【解決手段】サーバ（１）は、デマンドレスポンスの要請がなかった場合に想定される電力需要量の所定の時間帯における変動を時間に対応させて表すとともに、デマンドレスポンスの要請に応じた電力需要量のデマンドレスポンスの要請時間帯における変動を時間に対応させて表すベースライン画面を表示するための画面表示情報を作成するベースライン画面作成部（１５１）を備えている。【選択図】図１
2019170101.tif 000002
【特許請求の範囲】
【請求項１】
デマンドレスポンスの要請がなかった場合に想定される電力需要量の所定の時間帯における変動を時間に対応させて表すとともに、デマンドレスポンスの要請に応じた電力需要量のデマンドレスポンスの要請時間帯における変動を時間に対応させて表す第１画面を表示するための画面表示情報を作成する第１画面作成部を備えていることを特徴とする電力情報作成装置。
【請求項２】
発電装置の発電電力量、蓄電池の充電電力量、前記蓄電池の放電電力量および需要家の消費電力量の少なくともいずれか１つの電力量の、前記第１画面に対応する期間におけるデマンドレスポンスの要請がなかった場合に想定される変動とデマンドレスポンスの要請時間帯における変動とを合わせて表す第２画面を表示するための画面表示情報を作成する第２画面作成部を備えていることを特徴とする請求項１に記載の電力情報作成装置。
【請求項３】
デマンドレスポンスの要請に応じた場合の所定の時刻における、発電装置と、系統電力網と、蓄電池と、需要家が保有する機器との間の電力需給の状態を表す第３画面を表示するための画面表示情報を作成する第３画面作成部を備えていることを特徴とする請求項１または２に記載の電力情報作成装置。
【請求項４】
デマンドレスポンスの要請がなかった場合に想定される電力需要量の所定の時刻における、発電装置と、系統電力網と、蓄電池と、需要家が保有する機器との間の電力需給の状態を表す第４画面を表示するための画面表示情報を作成する第４画面作成部を備えていることを特徴とする請求項３に記載の電力情報作成装置。
【請求項５】
前記第３画面および前記第４画面に表される電力需給の状態を並べて表す第５画面を表示するための画面表示情報を作成する第５画面作成部を備えていることを特徴とする請求項４に記載の電力情報作成装置。
【請求項６】
前記第３画面に表される前記需要家が保有する複数の前記機器のうち、前記需要家が使用可能な電力の範囲内で使用可能な前記機器の一覧を表す第６画面を表示するための画面表示情報を作成する第６画面作成部を備えていることを特徴とする請求項３に記載の電力情報作成装置。
【請求項７】
請求項１から６のいずれか１項に記載の電力情報作成装置と、
前記電力情報作成装置によって作成された前記画面表示情報に基づいて画面を表示する表示装置と、を備えていることを特徴とする電力情報表示システム。
【請求項８】
請求項３から６のいずれか１項に記載の電力情報作成装置と、
前記電力情報作成装置によって作成された前記画面表示情報に基づいて画面を表示する表示装置と、を備え
前記表示装置は、デマンドレスポンスの要請に応じた電力需要量の複数のパターンに応じて表示された複数の前記第３画面を選択可能に表示し、選択された前記第３画面に対応する制御内容を、前記発電装置、前記蓄電池および前記機器を制御する制御装置に与えることを特徴とする電力情報表示システム。
【発明の詳細な説明】
【技術分野】
【０００１】
本発明は、デマンドレスポンスが実施されるときの電力の状況を表示する情報を作成する電力情報作成装置に関する。
【背景技術】
【０００２】
デマンドレスポンスは、電力の需要と供給とのバランスをとる取り組みとして注目されている。デマンドレスポンスは、電力需要が増大して供給に余裕がないときに、需要家に電力の使用を抑制するように電力消費パターンを変化させたり、電力需要に余裕があるときに、需要家に電力の使用を促すように電力消費パターンを変化させたりする。例えば、電力会社または系統運用機関から消費を減らすデマンドレスポンスの指示を受けると、需要家がその要請に応えて蓄電池に蓄電した電力を自己消費することが行われる。
【０００３】
また、ＶＰＰ（Virtual Power Plant）は、点在する小規模なエネルギーリソースを統合制御し、あたかも一つの発電所のように機能させている。ＶＰＰを活用すると、電力の需要家が節電や自家発電によって削減した電力消費を発電したものと見なして、電力会社が買い取ったり市場で取引したりすることが可能である。このような行為は、例えばデマンドレスポンスによって行われる。
【０００４】
特許文献１には、デマンドレスポンスにしたがって複数の機器を総合して制御することにより、消費電力を削減することが記載されている。
【先行技術文献】
【特許文献】
【０００５】
【特許文献１】特開２０１６−１５８４３３号公報（２０１６年５月１日公開）
【発明の概要】
【発明が解決しようとする課題】
【０００６】
しかしながら、特許文献１に記載された手法では、需要家の売買電による電力需要量の変動が目に見える形でユーザに提供されていない。このため、特に、デマンドレスポンスの要請があった場合、どの程度電力需要量に制限を受けるのかを把握することができない。
【０００７】
本発明の一態様は、デマンドレスポンス要請時における電力需要量の増減を容易に把握することを目的とする。
【課題を解決するための手段】
【０００８】
上記の課題を解決するために、本発明の一態様に係る電力情報作成装置は、デマンドレスポンスの要請がなかった場合に想定される電力需要量の所定の時間帯における変動を時間に対応させて表すとともに、デマンドレスポンスの要請に応じた電力需要量のデマンドレスポンスの要請時間帯における変動を時間に対応させて表す第１画面を表示するための画面表示情報を作成する第１画面作成部を備えている。
【発明の効果】
【０００９】
本発明の一態様によれば、デマンドレスポンス要請時における電力需要量の増減を容易に把握することができる。
【図面の簡単な説明】
【００１０】
【図１】本発明の実施形態１〜３に係るデマンドレスポンスシミュレーションシステムの構成を示すブロック図である。
【図２】上記デマンドレスポンスシミュレーションシステムを含む発電システムの構成を示すブロック図である。
【図３】上記デマンドレスポンスシミュレーションシステムの端末装置に表示されるベースライン画面を示す図である。
【図４】他の上記ベースライン画面を示す図である。
【図５】上記端末装置に表示されるベースライン分解画面を示す図である。
【図６】本発明の実施形態２に係るデマンドレスポンスシミュレーションシステムにおいて、（ａ）はベースラインに基づく電力需給を表示する電力需給画面を示す図であり、（ｂ）はデマンドレスポンスにしたがって蓄電池の充電を制御する場合の電力需給を表示する電力需給画面を示す図である。
【図７】実施形態２に係るデマンドレスポンスシミュレーションシステムにおいて、（ａ）はベースラインに基づく電力需給を表示する電力需給画面を示す図であり、（ｂ）はデマンドレスポンスにしたがって太陽光発電出力を制御する場合の電力需給を表示する電力需給画面を示す図である。
【図８】実施形態２に係るデマンドレスポンスシミュレーションシステムにおいて、（ａ）はベースラインに基づく電力需給を表示する電力需給画面を示す図であり、（ｂ）はデマンドレスポンスにしたがって機器の消費電力の増加を制御する場合の電力需給を表示する電力需給画面を示す図である。
【図９】実施形態２に係るデマンドレスポンスシミュレーションシステムにおいて、（ａ）はベースラインに基づく電力需給を表示する電力需給画面を示す図であり、（ｂ）はデマンドレスポンスにしたがって機器の消費電力の削減を制御する場合の電力需給を表示する電力需給画面を示す図である。
【図１０】実施形態２に係るデマンドレスポンスシミュレーションシステムにおいて、（ａ）はベースラインに基づく電力需給を表示する電力需給画面を示す図であり、（ｂ）はデマンドレスポンスにしたがって蓄電池の放電を制御する場合の電力需給を表示する電力需給画面を示す図である。
【図１１】実施形態３に係るデマンドレスポンスシミュレーションシステムにおいて端末装置に表示される、デマンドレスポンスに応じたときに使用可能な機器を表示する画面を示す図である。
【発明を実施するための形態】
【００１１】
〔実施形態１〕
本発明の実施形態１について図１〜図５に基づいて説明すると、以下の通りである。
【００１２】
（発電システムの構成）
まず、発電システムについて説明する。図２は、本実施形態に係る発電システムの構成を示すブロック図である。図２において、各部を接続する配線について、信号線を実線で示し、電力線を破線で示している。
【００１３】
図２に示すように、発電システムは、制御装置２と、太陽電池モジュール３（発電装置）と、蓄電池４と、パワーコンディショナ５と、分電盤６と、ルータ７と、端末装置８（表示装置）と、スマートメータ９とを備えている。制御装置２、太陽電池モジュール３および分電盤６は、一般家屋などの電力需要のある建屋に設けられている。蓄電池４、パワーコンディショナ５およびスマートメータ９は、屋外に設けられている。ただし、蓄電池４およびパワーコンディショナ５については建屋内に設けられていてもよい。
【００１４】
蓄電池４は、太陽電池モジュール３から出力された電力を蓄える電池であり、必要に応じて放電してパワーコンディショナ５に電力を出力する。
【００１５】
パワーコンディショナ５は、太陽電池モジュール３の発電電力が常に最大となるように太陽電池モジュール３の動作電圧を制御し、太陽電池モジュール３または蓄電池４から出力される直流電力を交流電力に変換して、分電盤６に供給する。また、パワーコンディショナ５は、太陽電池モジュール３の発電電力から、蓄電池４に蓄えられる電力および分電盤６に接続された負荷（図１に示す機器１０２）に供給する電力を差し引いて残る余剰電力を系統電力網１０に逆潮流させる。
【００１６】
パワーコンディショナ５は、太陽電池モジュール３が発電した発電電力量と、蓄電池４が充電した充電電力量と、蓄電池４が放電した放電電力量とを計測する。また、パワーコンディショナ５は、太陽電池モジュール３の発電時の電力（発電電力）と、蓄電池４の充電時の電力（充電電力）と、蓄電池４の放電時の電力（放電電力）とを計測する。
【００１７】
分電盤６は、パワーコンディショナ５または系統電力網１０からの交流電力を建屋に配備されたコンセントに分岐させる装置であり、各種のブレーカを有している。分電盤６は、コンセントを介して建屋に設けられた機器１０２に交流電力を供給する。
【００１８】
ルータ７は、建屋内に存在する端末装置８とのＬＡＮ通信を中継するブロードバンドのルータである。また、ルータ７は、制御装置２とＬＡＮケーブルを介して接続されており、制御装置２との間で有線ＬＡＮ通信を行なう。また、ルータ７はネットワーク１００（インターネット）と接続されている。
【００１９】
制御装置２は、ＨＥＭＳ（Home Energy Management System）の制御機能を有する装置である。具体的には、制御装置２は、建屋で消費されるエネルギー（電力）の情報を集約したり、家電等の各種の機器１０２の操作を一元化したりするなどの機能を有する装置である。制御装置２は、スマートメータ９から電力量情報を収集して、後述するサーバ１（図１参照）に提供する。また、制御装置２は、ルータ７を介して建屋内の端末装置８と有線または無線のＬＡＮ通信することにより、各種の情報を端末装置８に送信する。また、制御装置２は、ネットワーク１００を介して、サーバ１に電力情報をアップロードする。
【００２０】
端末装置８は、ＬＡＮあるいは公衆無線網の通信機能と表示機能とを備えた装置である。端末装置８は、スマートフォン、タブレット端末、あるいは、ノートパソコンなどの携帯型の機器であってもよいし、壁などに取り付けられる固定型の機器であってもよい。
【００２１】
端末装置８は、表示機能を実現するために表示パネル（図示せず）を有するとともに、操作機能を実現するためにタッチパネル（図示せず）を有している。端末装置８は、携帯型の装置であれば、建屋の内外での使用が可能である。このような端末装置８は、建屋の内で使用される際には、ＬＡＮの通信機能を使って、ルータ７を経由して制御装置２と直接通信して、あるいは、サーバ１と通信して、取得した電力情報を表示する。また、端末装置８は、建屋の外で使用される際には、公衆無線網の通信機能を使ってサーバ１と通信して、取得した電力情報を表示する。
【００２２】
端末装置８は、後述するように、サーバ１によって作成されたベースライン画面、電力需給画面および使用可能機器画面を表示する。ベースライン画面、電力需給画面および使用可能機器画面については、後に詳しく説明する。
【００２３】
スマートメータ９は、建屋で使用するために系統電力網１０を介して電力会社１０１（図１参照）から買電する電力量（買電電力量）、および電力会社１０１に売電する電力量（売電電力量）をデジタルにて計測する機器である。また、スマートメータ９は、電力需給画面を作成するために必要な買電の瞬時電力（買電電力）および売電の瞬時電力（売電電力）も計測する。スマートメータ９は、通信機能を有していることから、外部と通信を行って計測した電力量データを送信することができる。このため、スマートメータ９は、分電盤６および系統電力網１０と電力線で接続されている。
【００２４】
（デマンドレスポンスシミュレーションシステムの構成）
図１は、デマンドレスポンスシミュレーションシステム（以降、ＤＲシミュレーションシステムと称する）の構成を示すブロック図である。
【００２５】
図１に示すように、ＤＲシミュレーションシステム（電力情報表示システム）は、サーバ１（電力情報作成装置）と、制御装置２とを備えている。
【００２６】
サーバ１は、電力会社１０１から受けたデマンドレスポンス（以降、ＤＲと称する）に基づいて、ネガワット取引を契約している複数の需要家、またはＶＰＰへの参加を契約している複数の需要家に対してＤＲの指令を発する。また、サーバ１は、上述のベースライン画面、電力需給画面および使用可能機器画面をそれぞれ表示するための画面表示データを作成して、各需要家が所有する端末装置８に送信する。
【００２７】
サーバ１は、これらの機能を実現するために、ＤＲ指令部１２と、データ保存部１３と、ベースライン算出部１４と、画面作成部１５と、ネットワーク通信部１６とを含んでいる。ＤＲ指令部１２、ベースライン算出部１４および画面作成部１５は、プロセッサ１８がＤＲ処理プログラムを実行することにより実現される機能ブロックの部分である。
【００２８】
なお、サーバ１は、アグリゲータによって運営されてもよいし、アグリゲータと連携したＨＥＭＳサーバによって運営されてもよい。また、サーバ１は、電力会社１０１単独で運営されてもよいし、アグリゲータを兼ねる電力会社１０１や、連携した電力会社１０１、アグリゲータおよびＨＥＭＳサーバによって運営されてもよい。
【００２９】
ＤＲ指令部１２は、電力会社１０１からのＤＲに対して、各需要家の契約内容に応じたＤＲの指令を作成して、ＤＲの実施に先立って各需要家に分配する。ＤＲの指令には、ＤＲの実施時間帯、電力消費量の抑制・増大および電力調整量が含まれる。
【００３０】
データ保存部１３は、制御装置２のデータ収集部２４によって収集されて制御装置２から送信されてくる電力量および瞬時電力のデータを保存（蓄積）する記憶装置である。電力量としては、パワーコンディショナ５が計測した上述の発電電力量、充電電力量および放電電力量と、スマートメータ９が計測した上述の買電電力量および売電電力量が挙げられる。瞬時電力としては、パワーコンディショナ５が計測した上述の発電電力、充電電力および放電電力と、スマートメータ９が計測した上述の買電電力および売電電力が挙げられる。
【００３１】
また、データ保存部１３は、各需要家の機器１０２のリストを保存している。このリストには、需要家のそれぞれが保有する、ＤＲ制御部２５によって制御可能な全ての機器１０２と、それぞれの消費電力とが記載されている。
【００３２】
ベースライン算出部１４は、デマンドレスポンスの要請がなかった場合に想定される電力需要量の所定の時間帯における変動を時間に対応させて表したベースラインを作成する。ベースライン算出部１４は、データ保存部１３に蓄積された過去数日の売買電電力量の実績値の平均からベースラインを算出する。ベースライン算出部１４は、ＶＰＰの場合、主に売買電電力量によってベースラインを公知の計算方法によって計算する。また、ベースライン算出部１４は、各需要家に分配されるＤＲの指令に基づいて、ベースラインに対して削減する電力需要量および増大する電力需要量を計算して、ベースラインに反映させる。
【００３３】
画面作成部１５は、ベースライン画面作成部１５１と、電力需給画面作成部１５２と、機器画面作成部１５３とを有している。
【００３４】
ベースライン画面作成部１５１（第１画面作成部，第２画面作成部）は、ベースライン算出部１４によって作成されたベースラインに基づいて、ベースライン画面を表示するための画面表示データ（画面表示情報）作成する。ベースライン画面は、ＤＲの要請がなかった場合に想定される電力需要量の所定の時間帯における変動を時間に対応させて表すとともに、ＤＲの要請に応じた電力需要量のデマンドレスポンスの要請時間帯における変動を時間に対応させて表した画面である。
【００３５】
また、ベースライン画面作成部１５１は、ベースラインおよびデータ保存部１３に保存されている、発電電力量、充電電力量、充電電力量および需要家（家庭等）が消費する全体の消費電力量に基づいてベースライン分解画面を表示するための画面表示データも作成する。ベースライン分解画面は、ベースライン画面にベースラインが表示される期間と同じ期間に、発電電力量、充電電力量、放電電力量および消費電力量を重ねて描画したグラフ画面である。
【００３６】
電力需給画面作成部１５２は、ベースライン算出部１４によって作成されたベースラインに基づいて、電力需給画面を表示するための画面表示データを作成する。電力需給画面作成部１５２は、電力需給画面として、第１電力需給画面と、第２電力需給画面とを作成する。
【００３７】
第１電力需給画面は、ベースラインの任意の時刻における、太陽電池モジュール３、蓄電池４、系統電力網１０および需要家が保有する機器１０２の間の瞬時電力のバランスを視覚化した画面である。第２電力需給画面は、ＤＲが実施される予定の時間帯の任意の時刻における、太陽電池モジュール３、蓄電池４、系統電力網１０および需要家が保有する機器１０２の間の瞬時電力のバランスを可視化した画面である。瞬時電力のバランスは、太陽電池モジュール３、蓄電池４および系統電力網１０と需要家の機器１０２との間のバランスと、太陽電池モジュール３と、蓄電池４、系統電力網１０および機器１０２との間のバランスとが挙げられる。需要家の機器１０２は、需要家（家庭等）が消費する全体の消費電力であってもよい。
【００３８】
機器画面作成部１５３は、ＤＲの指令に基づく電力需要量の減少または増大に応じて制限された電力の範囲内で使用可能な機器１０２の一覧を記載した使用可能機器画面（第３画面）を表示するための画面表示データを作成する。
【００３９】
上述した各画面表示データは、端末装置８がブラウザ機能を用いて各画面を表示できるように、例えば、ＨＴＭＬ（HyperText Markup Language）形式で作成される。
【００４０】
ネットワーク通信部１６は、ネットワーク１００およびルータ７を介して制御装置２のネットワーク通信部２１と通信する部分である。ネットワーク通信部１６は、ネットワーク１００に接続されている。
【００４１】
なお、制御装置２は、図１において、便宜上、１つのみ示されているが、需要家ごとに設けられている。制御装置２は、ネットワーク通信部２１と、スマートメータ通信部２２と、パワーコンディショナ通信部２３と、データ収集部２４と、ＤＲ制御部２５と、機器通信部２６とを備えている。
【００４２】
また、図１において、制御装置２は、便宜上、上述したＨＥＭＳの制御機能の部分を含むようには示されておらず、ＤＲの制御機能の部分を含むように示されている。
【００４３】
ネットワーク通信部２１は、ネットワーク１００を介してサーバ１のネットワーク通信部１６と通信する部分である。ネットワーク通信部２１は、ルータ７を介してネットワーク１００に接続されている。
【００４４】
スマートメータ通信部２２は、スマートメータ９と通信を行うことにより、スマートメータ９からの売買電に関する、電力量（売電電力量および買電電力量）のデータおよび電力（売電電力および買電電力）のデータを受信して、データ収集部２４に出力する。
【００４５】
パワーコンディショナ通信部２３は、パワーコンディショナ５と通信する部分である。パワーコンディショナ通信部２３は、パワーコンディショナ５が計測した、発電電力量、充電電力量、放電電力量、発電電力、充電電力および放電電力の各データを受信して、データ収集部２４に出力する。
【００４６】
データ収集部２４は、上記の各電力量および各電力のデータを、スマートメータ通信部２２およびパワーコンディショナ通信部２３を介して収集して、一時的に記憶する。データ収集部２４が各データを収集するタイミングは、特に限定されないが、定期的（例えば３０分間隔）であってもよい。
【００４７】
ＤＲ制御部２５は、ネットワーク通信部２１を介して取得したＤＲ指令部１２のＤＲ指令に基づいて、蓄電池４および太陽電池モジュール３への制御指示を、パワーコンディショナ通信部２３を介してパワーコンディショナ５に与える。また、ＤＲ制御部２５は、ネットワーク通信部２１を介して取得したＤＲ指令部１２のＤＲ指令に基づいて、機器１０２への制御指示をネットワーク通信部２１およびルータ７を介して機器１０２に与える。機器１０２は、空気調和機、照明、テレビ等のネットワーク通信機能を備えた外部からの制御が可能な機器である。ルータ７には、少なくとも１つの機器１０２が接続されている。
【００４８】
（ＤＲシミュレーションシステムの動作）
以上のように構成されるＤＲシミュレーションシステムの動作について説明する。図３は、ＤＲシミュレーションシステムにおける端末装置８に表示されるベースライン画面２０１を示す図である。図４は、他のベースライン画面２０１を示す図である。図５は、端末装置８に表示されるベースライン分解画面２０２を示す図である。
【００４９】
まず、サーバ１において、ＤＲ指令部１２は、電力会社１０１からのＤＲを受けると、各需要家に対してＤＲの指令を出力する。ＤＲ指令部１２は、各需要家が所有する太陽電池モジュール３の能力、蓄電池４の容量、需要家ごとに作成されたベースライン等の情報に基づいて需要家ごとのＤＲを作成する。ＤＲ指令部１２は、ＤＲを作成するために、ベースライン算出部１４から各需要家についてのベースラインを取得しておく。
【００５０】
ベースライン算出部１４は、データ保存部１３に保存された、制御装置２からの買電量データおよび売電量データに基づいて、ベースラインを算出する。
【００５１】
画面作成部１５のベースライン画面作成部１５１は、端末装置８からベースライン画面の表示の要求を受けると、ベースライン算出部１４によって算出されたベースラインに基づいて、ベースライン画面の画面表示データを作成する。ベースライン画面作成部１５１は、作成した画面表示データをネットワーク通信部１６およびネットワーク１００を介して端末装置８に送信する。端末装置８は、取得した画面表示データに基づいて、図３および図４に示すようなベースライン画面２０１（第１画面）を表示する。
【００５２】
ベースライン画面２０１では、ベースラインに加えて、ＤＲの指令に基づく電力需要量の削減が下向きの矢印で表され、ＤＲの指令に基づく電力需要量の増大が上向きの矢印で表される。また、ベースライン画面２０１では、ベースラインに加えて、削減量および増大量を反映させた電力需要量が示される。
【００５３】
図３に示すベースライン画面２０１では、１２時前後のＤＲ指示期間（ＤＲの要請時間帯）に、電力需要量の増大の指示（上げＤＲ）が実施されることが分かる。また、図４に示すベースライン画面２０１では、１２時前から１８時前の長い範囲にわたるＤＲ指示期間に、電力需要量の削減の指示（下げＤＲ）が実施されることが分かる。
【００５４】
ベースライン画面作成部１５１は、端末装置８からベースライン分解画面の表示の要求を受けると、データ保存部１３に保存された、買電電力量、売電電力量、発電電力量、充電電力量および放電電力量に基づいて、ベースライン分解画面の画面表示データを作成する。ベースライン画面作成部１５１は、画面表示データの作成において、同時刻の買電電力量、売電電力量、発電電力量、充電電力量および放電電力量に基づいて需要家の消費電力量を算出する。具体的には、ベースライン画面作成部１５１は、機器１０２が使用される同じ時間帯における、買電電力量、発電電力量および放電電力量の和から、売電電力量および充電電力量の和を減じることで消費電力量を算出する。
【００５５】
ベースライン画面作成部１５１は、作成した画面表示データを、ネットワーク通信部１６およびネットワーク１００を介して端末装置８に送信する。端末装置８は、取得した画面表示データに基づいて、図５に示すようなベースライン分解画面２０２（第２画面）を表示する。
【００５６】
ベースライン分解画面２０２は、ベースライン画面２０１にベースラインが表示される期間と同じ期間において、発電電力量、充電電力量、放電電力量および消費電力量を重ねて描いた画面である。各時刻における発電電力量、充電電力量、放電電力量および需要家消費電力量の合算値は、同時刻におけるベースラインの電力需要量に等しくなる。
【００５７】
なお、ベースライン分解画面２０２において、発電電力量、充電電力量、放電電力量および消費電力量は全て含まれていなくてもよく、発電電力量、充電電力量、放電電力量および消費電力量の少なくともいずれか１つが含まれていればよい。
【００５８】
また、ベースライン分解画面２０２において、発電電力量、充電電力量、放電電力量および消費電力量が表示される期間は、ベースライン画面２０１にベースラインが表示される期間（ベースライン表示期間）と同じ期間でなくてもよい。例えば、ベースライン分解画面２０２において各電力量が表示される期間は、ベースライン画面２０１におけるベースライン表示期間に対応しており、かつＤＲ指示期間を含んでいれば、ベースライン表示期間の一部であってもよい。
【００５９】
また、ベースライン画面２０１とベースライン分解画面２０２の表示の切り替えを端末装置８で行うようにしてもよい。具体的には、ユーザが端末装置８に表示された選択ボタン等を操作すると、端末装置８が、ベースライン画面作成部１５１に対して画面切り替えの要求を送信する。ベースライン画面作成部１５１は、その要求を受けて、切り替えられる画面の画面表示データを端末装置８に送信する。
【００６０】
また、ネットワーク通信部１６は、ネットワーク１００を介してＤＲ指令を制御装置２に送信する。ＤＲ指令部１２は、受信したＤＲ指令に基づいて生成した制御指令を、パワーコンディショナ５および機器１０２に与える。
【００６１】
パワーコンディショナ５は、制御指令に基づいて、蓄電池４の充放電を制御するとともに、太陽電池モジュール３の出力を必要に応じて制限する。機器１０２は、制御指令に基づいて、動作を停止したり、動作を開始したり、動作状態を変更したりする。
【００６２】
ＤＲ指令部１２は、制御装置２のデータ収集部２４に収集された各電力量のデータに基づいて、各需要家の電力需要量が指示通りに満たされていることを確認すると、そのことを電力会社１０１に通知する。
【００６３】
（ＤＲシミュレーションシステムの効果）
以上のように、本実施形態に係るＤＲシミュレーションシステムは、サーバ１がベースライン画面作成部１５１を備えている。ベースライン画面作成部１５１は、ベースラインを表すとともに、ＤＲの要請に応じた電力需要量のＤＲの要請時間帯における変動を時間に対応させて表したベースライン画面を表示するための画面表示データを作成する。また、ベースライン画面作成部１５１は、端末装置８の要求に応じて、作成した画面表示データを端末装置８に送信する。
【００６４】
これにより、ＤＲ指令の基準となったベースラインを、ユーザに可視化して提示することができる。それゆえ、ユーザは、ベースラインによって１日の電力需要量がどのように推移しているのかということを容易に把握することができる。また、ユーザは、ベースラインに基づいて、実際のＤＲ指令によって、ベースラインを基準にどの程度の電力需要量の削減または増大の要求を受けるのかということを容易に把握することができる。
【００６５】
また、ベースライン画面作成部１５１は、端末装置８の要求に応じて、発電電力量、充電電力量、放電電力量、需要家の消費電力量の少なくともいずれか１つの電力量の、前記第１画面に対応する期間におけるデマンドレスポンスの要請がなかった場合に想定される変動とデマンドレスポンスの要請時間帯における変動とを合わせて表すベースライン分解画面の画面表示データを作成する。また、ベースライン画面作成部１５１は、端末装置８の要求に応じて、作成した画面表示データを端末装置８に送信する。
【００６６】
これにより、ＤＲ指令に応じて、いずれの電力量が削減または増大されるのかを容易に把握することができる。
【００６７】
図３および図４に示すベースライン画面２０１では、ベースラインによってそれぞれ売電および買電の電力量の変遷を示している。これらのベースライン画面２０１では、売電電力量および買電電力量が制限されることは分かるが、具体的に、発電電力量、充電電力量、放電電力量および消費電力量のいずれが制御されるのかが分からない。
【００６８】
これに対し、図５に示すベースライン分解画面２０２では、発電電力量、充電電力量、放電電力量および消費電力量が個々に示されている。ベースライン分解画面２０２に示す例では、ＤＲの指示によって発電電力量が削減されていることが分かる。したがって、図３のベースライン画面２０１をベースライン分解画面２０２のように表示すれば、削減される売電電力量が、発電電力量の削減によるものであるのか、充電電力量の増大によるものであるのかが分かるようになる。また、図４のベースライン画面２０１をベースライン分解画面２０２のように表示すれば、削減される買電電力量が、消費電力量の削減によるものであるのか、放電電力量の増大によるものであるかが分かるようになる。
【００６９】
〔実施形態２〕
本発明の実施形態２について図１、図３、図６〜図１０に基づいて説明すると、以下の通りである。なお、本実施形態において、実施形態１における構成要素と同一の機能を有する構成要素については、同一の符号を付記して、その説明を省略する。
【００７０】
図６の（ａ）は、ベースラインに基づく電力需給を表示する電力需給画面３０１ａを示す図であり、図６の（ｂ）は、ＤＲにしたがって蓄電池の充電を制御する場合の電力需給を表示する電力需給画面３０１ｂを示す図である。図７の（ａ）は、ベースラインに基づく電力需給を表示する電力需給画面３０１ａを示す図であり、図７の（ｂ）は、ＤＲにしたがって太陽光発電出力を制御する場合の電力需給を表示する電力需給画面３０１ｂを示す図である。図８の（ａ）は、ベースラインに基づく電力需給を表示する電力需給画面３０１ａを示す図であり、図８の（ｂ）は、ＤＲにしたがって機器１０２の消費電力の増加を制御する場合の電力需給を表示する電力需給画面３０１ｂを示す図である。図９の（ａ）は、ベースラインに基づく電力需給を表示する電力需給画面３０１ａを示す図であり、図９の（ｂ）は、ＤＲにしたがって機器１０２の消費電力の削減を制御する場合の電力需給を表示する電力需給画面３０１ｂを示す図である。図１０の（ａ）は、ベースラインに基づく電力需給を表示する電力需給画面３０１ａを示す図であり、図１０の（ｂ）は、ＤＲにしたがって蓄電池４の放電を制御する場合の電力需給を表示する電力需給画面３０１ｂを示す図である。
【００７１】
本実施形態に係るＤＲシミュレーションシステムも、図１に示すように構成されている。
【００７２】
本実施形態におけるＤＲシミュレーションシステムでは、データ収集部２４に収集された、売電電力、買電電力、発電電力、充電電力および放電電力の各瞬時電力が、サーバ１へ一定間隔でアップロードされて、データ保存部１３に保存される。瞬時電力の計算方法については、瞬時電力がベースラインの時刻および当該時刻の電力値と対応していれば、特に限定はされない。
【００７３】
また、ＤＲシミュレーションシステムにおいて、端末装置８に表示されたベースライン画面２０１における時間軸上の任意の時刻がユーザによってタップされると、端末装置８は、上記のタップによって指定された時刻の電力需給画面の表示の要求を出力する。時刻の選択は、タップに限らず、例えば、ベースライン画面２０１上に時刻を選択するために表示されるドロップダウンリストから所望の時刻を選択することで行われてもよい。
【００７４】
上記の要求は、ネットワーク１００およびネットワーク通信部１６を介して画面作成部１５に与えられる。画面作成部１５の電力需給画面作成部１５２（第３画面作成部，第４画面作成部）は、その要求に応じて、データ保存部１３に保存された上記の各瞬時電力のデータに基づいて、電力需給画面を表示するための画面表示データを作成する。
【００７５】
電力需給画面作成部１５２は、電力需給画面の作成において、売電電力、買電電力、発電電力、充電電力および放電電力に基づいて需要家の消費電力を算出する。具体的には、電力需給画面作成部１５２は、機器１０２が使用される同じ時間帯における、買電電力、発電電力および放電電力の和から、売電電力および充電電力の和を減じることで消費電力を算出する。また、電力需給画面作成部１５２は、指定時刻における過去（例えば数日分）の瞬時電力の平均値などに基づいて画面表示データを作成する。
【００７６】
電力需給画面作成部１５２は、作成した画面表示データを、ネットワーク通信部１６およびネットワーク１００を介して端末装置８に送信する。端末装置８は、取得した画面表示データに基づいて、例えば、図６の（ａ）に示す電力需給画面３０１ａ（第４画面）および図６の（ｂ）に示す電力需給画面３０１ｂ（第３画面）を表示する。
【００７７】
電力需給画面３０１ａは、ユーザが選択した時刻におけるベースラインに基づいた、太陽電池モジュール３、蓄電池４、系統電力網１０および需要家の間の瞬時電力のバランスの予測を表している。電力需給画面３０１ｂは、規定の時刻におけるＤＲ指令に基づいた、太陽電池モジュール３、蓄電池４、系統電力網１０および需要家の間の瞬時電力のバランスの予測を表している。
【００７８】
電力需給画面３０１ａ，３０１ｂは、オブジェクトＯＢＪ１〜ＯＢＪ４と、電力値ＰＶ１〜ＰＶ４と、矢印ＡＲとを含んでいる。
【００７９】
オブジェクトＯＢＪ１は、太陽電池モジュール３を表している。オブジェクトＯＢＪ２は、需要家（家屋）を表している。オブジェクトＯＢＪ３は、系統電力網１０を表している。オブジェクトＯＢＪ４は、蓄電池４を表している。以降の説明において、オブジェクトＯＢＪ１〜ＯＢＪ４を特定しない場合は、単にオブジェクトＯＢＪと称する。
【００８０】
電力値ＰＶ１は、太陽電池モジュール３の出力電力値を表している。電力値ＰＶ２は、需要家の消費電力値を表している。電力値ＰＶ３は、系統電力網１０に対して売買電した電力値を表している。電力値ＰＶ４は、蓄電池４の充放電の電力値を表している。
【００８１】
矢印ＡＲは、２つのオブジェクトＯＢＪの間に配置されている。矢印ＡＲの向きは、電力の供給先を示している。矢印ＡＲの太さは、電力の大きさを表している。このように、矢印ＡＲによって、電力の流れおよび大きさが表される。なお、電力の流れおよび大きさを表す表現としては矢印ＡＲに限定されない。
【００８２】
（電力制御例）
ＤＲにしたがった電力制御例について以下に説明する。以下の各電力制御例では、上げＤＲの場合、蓄電池４に空き容量があれば、充電するのが最も好ましい。なお、ＤＲを受ける需要家は、電力会社１０１およびアグリゲータとの間で、ＤＲの実施内容について契約しているので、実際には、その契約の内容に応じて制御の仕方が変わる。
【００８３】
（１）蓄電池４の充電制御
図６の（ａ）に示すように、ベースラインによれば、太陽電池モジュール３で発生した電力は、需要家に１．５ｋＷ供給される一方、系統電力網１０に２．０ｋＷ売電される。発令されたＤＲ（上げＤＲ）に基づくＤＲ指令部１２の予測によって、電力需要量の増大が指示されたＤＲ指示期間に売電電力が低減するものとする。この場合、図６の（ｂ）に示すように、売電電力が１．０ｋＷに低減する代わりに、太陽電池モジュール３の発電電力のうち１．０ｋＷを蓄電池４の充電に充てることが視覚的に分かる。
【００８４】
（２）太陽電池モジュール３の出力制御
図７の（ａ）に示すように、ベースラインによれば、太陽電池モジュール３で発生した５．５ｋＷの電力のうち、系統電力網１０に２．０ｋＷ売電される。発令されたＤＲ（上げＤＲ）に基づくＤＲ指令部１２の予測によって、電力需要量の増大が指示されたＤＲ指示期間に売電電力が低減するものとする。この場合、図７の（ｂ）に示すように、太陽電池モジュール３の発電電力が４．５ｋＷに抑制されることが視覚的に分かる。
【００８５】
（３）消費電力増加の制御
図８の（ａ）に示すように、ベースラインによれば、太陽電池モジュール３、蓄電池４および系統電力網１０からの電力が需要家に供給されており、このうち、需要家は系統電力網１０から１．０ｋＷの電力を買電している。発令されたＤＲ（上げＤＲ）に基づくＤＲ指令部１２の予測によって、電力需要量の増大が指示されたＤＲ指示期間に買電電力が増大するものとする。この場合、図８の（ｂ）に示すように、系統電力網１０からの買電電力が２．５ｋＷに増大されることが視覚的に分かる。
【００８６】
（４）消費電力削減の制御
図９の（ａ）に示すように、ベースラインによれば、太陽電池モジュール３、蓄電池４および系統電力網１０からの電力が需要家に供給されており、このうち、系統電力網１０から２．５ｋＷの電力を買電している。発令されたＤＲ（下げＤＲ）に基づくＤＲ指令部１２の予測によって、電力需要量の削減が指示されたＤＲ指示期間に買電電力が減少するものとする。この場合、図９の（ｂ）に示すように、系統電力網１０からの買電電力が１．０ｋＷに削減されることが視覚的に分かる。
【００８７】
（５）蓄電池４の放電制御
図１０の（ａ）に示すように、ベースラインによれば、蓄電池４からの放電電力は、需要家に２．０ｋＷ供給される。発令されたＤＲ（下げＤＲ）に基づくＤＲ指令部１２の予測によって、電力需要量の削減が指示されたＤＲ指示期間に買電電力が低減するものとする。この場合、図１０の（ｂ）に示すように、売電電力が１．０ｋＷに低減する代わりに、蓄電池４の放電電力が３．５ｋＷに増加したことが視覚的に分かる。
【００８８】
なお、ＤＲ用の予備の蓄電池や、蓄電池４の容量の一部をＤＲに利用できるようにしておけば、ＤＲに柔軟に対応することが可能である。
【００８９】
（ＤＲシュミレーションシステムの効果）
以上のように、本実施形態に係るＤＲシミュレーションシステムは、サーバ１が電力需給画面作成部１５２を備えている。電力需給画面作成部１５２は、ＤＲの要請に応じた場合の所定の時刻における、太陽電池モジュール３と、系統電力網１０と、蓄電池４と、需要家が保有する機器１０２との間の電力需給の状態を表示する電力需給画面を表示するための画面表示データを作成する。また、電力需給画面作成部１５２は、端末装置８の要求に応じて、画面表示データを端末装置８に送信する。
【００９０】
これにより、ベースラインおよびＤＲ指令に基づく、太陽電池モジュール３、蓄電池４、系統電力網１０および需要家の間の電力の需給の状態を容易に把握することができる。それゆえ、ＤＲ指令を受けたときに、電力需給がどのようなバランスに変更されるか、需要家がどの程度自由に電力を使用できるのかを把握することができる。
【００９１】
なお、端末装置８は、電力需給画面３０１ａ，３０１ｂを個別に表示するが、電力需給画面３０１ａ，３０１ｂにそれぞれ表される電力需給の状態を並べて表すことにより１つの画面（第５画面）として表示してもよい。このため、電力需給画面作成部１５２（第５画面作成部）は、当該画面を表示するための画面表示データを作成する。電力需給画面３０１ａ，３０１ｂにそれぞれ表される電力需給の状態を並べて表示することにより、ベースラインに基づく電力需給の状態と、ＤＲにしたがったときの電力需給の状態とを比較することができる。
【００９２】
また、ＤＲの内容に応じて制御方法を上述した（１）〜（５）の制御方法からユーザが選択できるようにしてもよい。具体的には、電力需給画面作成部１５２は、端末装置８からの要求に応じて、上げＤＲまたは下げＤＲの場合の電力需給画面の画面表示データを、全て（複数）のＤＲのパターンについて端末装置８に送信する。端末装置８は、受信した画面表示データに基づいて、電力需給画面を選択可能となるようにユーザの操作に応じて順次切り替えて表示する。端末装置８は、選択された電力需給画面に対応する制御方法（制御内容）をルータ７およびネットワーク通信部２１を介してＤＲ制御部２５に伝える。ＤＲ制御部２５は、ユーザが選択した制御方法に基づいて、太陽電池モジュール３、蓄電池４および機器１０２を制御する。
【００９３】
また、本実施形態では、ベースライン画面を表示させた状態で、タップ等の操作を行うことにより、電力需給画面を表示させている。これに限らず、ベースライン分解画面を表示させた状態でも、タップ等の操作を行うことにより、電力需給画面を表示させるようにしてもよい。
【００９４】
〔実施形態３〕
本発明の実施形態２について図１、図６および図１１に基づいて説明すると、以下の通りである。なお、本実施形態において、実施形態１および２における構成要素と同一の機能を有する構成要素については、同一の符号を付記して、その説明を省略する。
【００９５】
図１１は、本実施形態に係るＤＲシミュレーションシステムにおいて端末装置８に表示される、ＤＲに応じたときに使用可能な機器１０２を表示する画面を示す図である。
【００９６】
本実施形態におけるＤＲシミュレーションシステムでは、端末装置８において図６の（ａ）および（ｂ）に示すオブジェクトＯＢＪ２がタップされると、使用可能機器画面の表示が次のようにして行われる。
【００９７】
上記のタップによって生成された使用可能機器画面の表示の要求は、ネットワーク１００およびネットワーク通信部１６を介して画面作成部１５に与えられる。画面作成部１５の機器画面作成部１５３（第６画面作成部）は、その要求を受けて、使用可能機器画面を表示するための画面表示データを作成する。機器画面作成部１５３は、画面表示データの作成において、ＤＲの指令に基づく電力需要量の減少または増大に応じて制限された電力の範囲内で使用可能な機器１０２を、データ保存部１３に保存されている各需要家の機器１０２のリストから取得した機器１０２の消費電力に基づいて選定する。
【００９８】
画面作成部１５は、機器画面作成部１５３によって作成された使用可能機器画面の画面表示データを、ネットワーク通信部１６およびネットワーク１００を介して端末装置８に送信する。端末装置８は、取得した画面表示データに基づいて、図１１に示す使用可能機器画面４０１（第６画面）を表示する。
【００９９】
使用可能機器画面４０１は、ベースラインおよびＤＲ実施時において、需要家が使用できる電力の範囲内で使用可能である機器１０２の名称と、それぞれの機器１０２の消費電力とを一覧で示している。
【０１００】
以上のように、本実施形態におけるＤＲシミュレーションシステムは、サーバ１が電力需給画面作成部１５２を備えている。電力需給画面作成部１５２は、電力需給画面に表される需要家が保有する複数の機器１０２のうち、需要家が使用可能な電力の範囲内で使用可能な機器１０２の一覧を表す使用可能機器画面を表示するための画面表示データを作成する。
【０１０１】
これにより、ベースラインおよびＤＲ実施時において、オブジェクトＯＢＪ２で示された電力の範囲内で使用できる機器１０２を使用可能機器画面４０１によって容易に把握することができる。
【０１０２】
サーバ１がベースラインを計算することで、各時間帯で普段どの程度の電力が使用されているのかが概ね予測できる。したがって、その予測に基づいて、ベースラインからＤＲにより電力需要量が低減する程度に応じて、使用できる機器１０２を推測することができる。
【０１０３】
なお、本実施形態では、ベースラインおよびＤＲ実施時において、オブジェクトＯＢＪ２で示された電力の範囲内で使用できる機器１０２を使用可能機器画面に表示する例について説明した。これに対し、ベースラインおよびＤＲ実施時において、オブジェクトＯＢＪ２で示された電力の範囲内で使用できない機器１０２を表示する使用不可機器画面を端末装置８に表示するようにしてもよい。この場合、機器画面作成部１５３が使用不可機器画面を作成する。
【０１０４】
機器画面作成部１５３は、画面表示データの作成において、ＤＲの指令に基づく電力需要量の減少または増大に応じて制限された電力の範囲内で使用不可能な機器１０２を選定する。機器画面作成部１５３は、この選定において、データ保存部１３に保存されている各需要家の機器１０２のリストから取得した機器１０２の消費電力に基づいて、ＤＲ実施時に稼働していなくても需要家の日常生活に支障を来さない機器１０２を選定する。例えば、冷蔵庫は、連続運転が必要であるので、使用が必要な機器１０２であって選定できない。また、空気調和機は、夏季や冬季において需要家が活動している時間帯に稼働しないと需要家の生活の質を低下させるおそれがあるので、使用が必要な機器１０２であって選定できない。これに対し、ＤＲ実施時を避けて使用できる加熱調理器（電子レンジ等）のような機器は、使用を回避できる機器１０２であって選定可能である。
【０１０５】
〔ソフトウェアによる実現例〕
サーバ１の制御ブロック（特にＤＲ指令部１２、ベースライン算出部１４、画面作成部１５）は、集積回路（ＩＣチップ）等に形成された論理回路（ハードウェア）によって実現してもよいし、ソフトウェアによって実現してもよい。
【０１０６】
後者の場合、サーバ１は、各機能を実現するソフトウェアであるプログラムの命令を実行するコンピュータを備えている。このコンピュータは、図１に示すように、例えば少なくとも１つのプロセッサ１８を備えていると共に、コンピュータが読み取り可能となるように上記プログラムを記憶した少なくとも１つの記録媒体を備えている。そして、上記コンピュータにおいて、プロセッサ１８が上記プログラムを上記記録媒体から読み取って実行することにより、本発明の目的が達成される。
【０１０７】
プロセッサ１８としては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。
【０１０８】
また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０９】
〔まとめ〕
本発明の態様１に係る電力情報作成装置は、デマンドレスポンスの要請がなかった場合に想定される電力需要量の所定の時間帯における変動を時間に対応させて表すとともに、デマンドレスポンスの要請に応じた電力需要量のデマンドレスポンスの要請時間帯における変動を時間に対応させて表す第１画面（ベースライン画面２０１）を表示するための画面表示情報を作成する第１画面作成部（ベースライン画面作成部１５１）を備えている。
【０１１０】
上記の構成によれば、ＤＲ指令の基準となった電力需要量の変動（ベースライン）を、ユーザに可視化して提示することができる。それゆえ、ユーザは、ベースラインによって１日の電力需要量がどのように推移しているのかということを容易に把握することができる。また、ユーザは、ベースラインに基づいて、実際のＤＲ指令によって、ベースラインを基準にどの程度の電力需要量の削減または増大の要求を受けるのかということを容易に把握することができる。
【０１１１】
本発明の態様２に係る電力情報作成装置は、上記態様１において、発電装置の発電電力量、蓄電池の充電電力量、前記蓄電池の放電電力量および需要家の消費電力量の少なくともいずれか１つの電力量の、前記第１画面に対応する期間におけるデマンドレスポンスの要請がなかった場合に想定される変動とデマンドレスポンスの要請時間帯における変動とを合わせて表す第２画面を表示するための画面表示情報を作成する第２画面作成部を備えていてもよい。
【０１１２】
上記の構成によれば、ＤＲ指令に応じて、いずれの電力量（発電電力量、充電電力量、放電電力量および需要家の消費電力量）が削減または増大されるのかを容易に把握することができる。
【０１１３】
本発明の態様３に係る電力情報作成装置は、上記態様１または２において、デマンドレスポンスの要請に応じた場合の所定の時刻における、発電装置（太陽電池モジュール３）と、系統電力網１０と、蓄電池４と、需要家が保有する機器１０２との間の電力需給の状態を表す第３画面（電力需給画面３０１ｂ）を表示するための画面表示情報を作成する第３画面作成部（電力需給画面作成部１５２）を備えていてもよい。
【０１１４】
上記の構成によれば、ベースラインおよびＤＲ指令に基づく、発電装置、蓄電池、系統電力網および需要家の間の電力の需給の状態を容易に把握することができる。それゆえ、ＤＲ指令を受けたときに、電力需給がどのようなバランスに変更されるか、需要家がどの程度自由に電力を使用できるのかを把握することができる。
【０１１５】
本発明の態様４に係る電力情報作成装置は、上記態様３において、デマンドレスポンスの要請がなかった場合に想定される電力需要量の所定の時刻における、発電装置と、系統電力網と、蓄電池と、需要家が保有する機器との間の電力需給の状態を表す第４画面を表示するための画面表示情報を作成する第４画面作成部を備えていてもてもよい。
【０１１６】
上記の構成によれば、デマンドレスポンスの要請がなかった場合においても、発電装置、蓄電池、系統電力網および需要家の間の電力の需給の状態を容易に把握することができる。
【０１１７】
本発明の態様５に係る電力情報作成装置は、上記態様４において、前記第３画面および前記第４画面に表される電力需給の状態を並べて表す第５画面を表示するための画面表示情報を作成する第５画面作成部を備えていてもよい。
【０１１８】
上記の構成によれば、第３画面および第４画面に示される電力需給の状態を１つの第５画面において比較することができる。これにより、ＤＲによってどの程度の需要電力の制限が課せられるかを把握することができる。
【０１１９】
本発明の態様６に係る電力情報作成装置は、上記態様３において、前記第３画面に表される前記需要家が保有する複数の前記機器１０２のうち、前記需要家が使用可能な電力の範囲内で使用可能な前記機器１０２の一覧を表示するための第６画面（使用可能機器画面４０１）を作成してもよい。
【０１２０】
上記の構成によれば、ベースラインおよびＤＲ実施時において、使用可能な電力の範囲内で使用できる機器を使用可能機器画面によって容易に把握することができる。
【０１２１】
本発明の態様７に係る電力情報表示システムは、上記態様１から６のいずれか１つの電力情報作成装置（サーバ１）と、前記電力情報作成装置によって作成された前記画面表示情報に基づいて画面を表示する表示装置（端末装置８）とを備えている。
【０１２２】
上記の構成によれば、ユーザが所持している表示装置に各画面（第１画面〜第６画面）を表示することで、ユーザはＤＲ要請の有無に応じた電力需要量等の状況を容易に把握することができる。
【０１２３】
本発明の態様８に係る電力情報表示システムは、上記態様３から６のいずれか１つの電力情報作成装置（サーバ１）と、前記電力情報作成装置によって作成された前記画面表示情報に基づいて画面を表示する表示装置と、を備え、前記表示装置が、デマンドレスポンスの要請に応じた電力需要量の複数のパターンに応じて表示された複数の前記第３画面を選択可能に表示し、選択された前記第３画面に対応する制御内容を、前記発電装置、前記蓄電池４および前記機器１０２を制御する制御装置に与えていてもよい。
【０１２４】
上記の構成によれば、所望のパターンでＤＲに対応して、発電装置、蓄電池および機器を制御することができる。
【０１２５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２６】
１  サーバ（電力情報作成装置）
２  制御装置
３  太陽電池モジュール（発電装置）
４  蓄電池
８  端末装置（表示装置）
１５  画面作成部
１８  プロセッサ
１０２  機器
１５１  ベースライン画面作成部（第１画面作成部，第２画面作成部）
１５２  電力需給画面作成部（第３画面作成部，第４画面作成部，第５画面作成部）
１５３  機器画面作成部（第６画面作成部）
２０１  ベースライン画面（第１画面）
２０２  ベースライン分解画面（第２画面）
３０１ａ  電力需給画面（第４画面）
３０１ｂ  電力需給画面（第３画面）
４０１  使用可能機器画面（第６画面）
【図１】
2019170101.tif 000003
【図２】
2019170101.tif 000004
【図３】
2019170101.tif 000005
【図４】
2019170101.tif 000006
【図５】
2019170101.tif 000007
【図６】
2019170101.tif 000008
【図７】
2019170101.tif 000009
【図８】
2019170101.tif 000010
【図９】
2019170101.tif 000011
【図１０】
2019170101.tif 000012
【図１１】
2019170101.tif 000013